(57)【要約】【課題】会議開催の際、主催者の会議設定を簡単容易にしかつ参加者の待ち時間を最小とし、更に会議を効率よく運用することを可能とする。【解決手段】電話交換装置１は内線に複数のランプ付き可変機能ラインボタンを具備するボタン電話機２を接続し、会議設定状態の場合にはその可変機能ラインボタンを同一会議への参加者それぞれに対応する参加者ボタンとしている。そして、予め、主催者は会議参加者の電話番号を参加者リスト１５−Ａに登録し、主催者のボタン電話機２から会議設定要求して会議設定状態にした場合、主催者のボタン電話機２に着呼した内線又は外線の発信者番号が参加者リストの電話番号にある場合、その着呼回線を会議参加させると共にボタン電話機２の空きの参加者ボタンを点灯させている。【選択図】図１
2008005188.tif 000002
【特許請求の範囲】
【請求項１】
電話会議のために内線又は外線を介して電話機を接続する会議ブロックと会議参加者の電話番号を登録する参加者リストとを電話交換装置に有し、前記会議ブロックに接続されて電話会議に参加する内線接続される電話機のうち少なくとも主催者用電話機はボタン電話機であり、会議設定状態の際に同一会議への同時参加者それぞれに対応する参加者ボタンとなるランプ付き可変機能ラインボタンを前記ボタン電話機に具備し、主催者が前記参加者リストに電話番号を予め登録し、主催者のボタン電話機から会議設定要求を受けた際には一つの前記会議ブロックを設定して主催者のボタン電話機回線を接続し会議設定状態にすると共に前記ボタン電話機で対応する参加者ボタンを点灯することを特徴とする電話会議開催方法。
【請求項２】
請求項１に記載の電話会議開催方法において、前記会議設定状態にあって主催者とは別のボタン電話機から会議設定要求を受けた際にはその電話番号が先に設定された前記会議ブロックの参加者リストに存在する場合、その回線を前記会議ブロックの空き回線に接続すると共に前記ボタン電話機で対応する参加者ボタンを点灯して会議参加させることを特徴とする電話会議開催方法。
【請求項３】
請求項１に記載の電話会議開催方法において、会議設定状態にある主催者のボタン電話機回線に着呼した内線又は外線の発信者番号が前記参加者リストに存在する場合、その回線を前記会議ブロックの空き回線に接続すると共に前記ボタン電話機で対応する参加者ボタンを点灯して会議参加させることを特徴とする電話会議開催方法。
【請求項４】
請求項１に記載の電話会議開催方法において、内線となる前記ボタン電話機で、当該ボタン電話機により会議参加した際には、会議設定状態となり、前記ランプ付き可変機能ラインボタンを会議設定状態として参加者ボタンに設定すると共に全会議参加者それぞれに当該参加者ボタンの一つずつを対応させることを特徴とする電話会議開催方法。
【請求項５】
請求項４に記載の電話会議開催方法において、内線となる前記ボタン電話機で、画面表示器を備え、前記会議設定状態で、自己に対応する以外の前記参加者ボタンを押下げ操作した際には、予め記録されたその参加者ボタンに対応する参加者のメンバー情報を前記画面表示器に表示することを特徴とする電話会議開催方法。
【請求項６】
請求項１に記載の電話会議開催方法において、内線となる前記ボタン電話機で、前記会議設定要求の際には前記参加者ボタンとなるランプ付き可変機能ラインボタンとは別の一つのランプ付き可変機能設定ボタンを会議設定ボタンとして用いて、主催者の場合には主催者ボタンとし、主催者以外の参加者である場合には会議参加ボタンとすることを特徴とする電話会議開催方法。
【請求項７】
請求項６に記載の電話会議開催方法において、内線となる前記ボタン電話機で、前記会議設定状態では、前記会議設定機能ボタンの押下げ操作を繰り返すことにより、当該ボタン電話機を電話会議から一時離脱させると共に全ての参加者のボタン電話機で対応する前記参加者ボタンを点滅させ、次の押下げ操作により当該ボタン電話機を電話会議に参加させると共に全ての参加者のボタン電話機でその対応する前記参加者ボタンを点灯させることを特徴とする電話会議開催方法。
【請求項８】
請求項１に記載の電話会議開催方法において、内線となる電話機で、前記会議設定要求には特番ダイヤルを利用することを特徴とする電話会議開催方法。
【請求項９】
請求項１に記載の電話会議開催方法において、内線となる前記ボタン電話機で、前記会議設定要求の際には前記参加者ボタンとなる一つのランプ付き可変機能ラインボタンを会議設定ボタンとして用いて、主催者の場合には主催者ボタンとし、主催者以外の参加者である場合には会議参加ボタンとすることを特徴とする電話会議開催方法。
【請求項１０】
請求項９に記載の電話会議開催方法において、内線となる前記ボタン電話機は、前記会議設定状態では、点灯中の自己電話機回線対応の参加者ボタンの押下げ操作を繰り返すことにより、その会議から一時離脱させその参加者ボタンを点滅させて発呼可能とし、次の押下げ操作により会議へ参加させてその参加者ボタンを点灯させることを特徴とする電話会議開催方法。
【請求項１１】
請求項１に記載の電話会議開催方法において、内線となる前記ボタン電話機は、前記会議設定状態で着呼を受けた際には空きの前記参加者ボタンにランプ点滅による呼び出しを受け、一旦、所定の会議離脱処理を行ってその呼出しに応答し、その着呼を会議参加させる際には、ランプ点滅の前記参加者ボタンを押下げ操作してランプ点灯させることを特徴とする電話会議開催方法。
【請求項１２】
電話交換装置に内線として接続し他の電話機と会議通話できるボタン電話機において、会議設定状態では同一会議への同時参加者それぞれに対応する参加者数の参加者ボタンとなってそれぞれの参加者ボタンの押下げ情報が前記電話交換装置に通知され、会議設定状態以外では電話機の別機能設定可能なランプ付き可変機能ラインボタンと、会議設定状態で前記参加者ボタンの操作を前記電話交換装置に通知する手段と、前記電話交換装置から受付けする情報に基づいて前記ランプの点灯及び情報の画面表示を制御する手段と、を備えることを特徴とするボタン電話機。
【請求項１３】
請求項１２に記載のボタン電話機において、前記会議設定状態を形成する会議設定要求の際に操作される会議設定ボタンを備え、主催者においては主催者ボタン、また主催者以外の参加者には会議参加ボタンとして利用することを特徴とするボタン電話機。
【請求項１４】
請求項１３に記載のボタン電話機において、前記会議設定ボタンとして、一つの前記可変機能ラインボタンを利用することを特徴とするボタン電話機。
【請求項１５】
請求項１２に記載のボタン電話機において、前記参加者ボタンとなったランプ付き可変機能ラインボタンに対応する回線が会議参加中には前記電話交換装置の指示を受けてその参加者ボタンを点灯させ、会議から一時離脱中には点滅させることを特徴とするボタン電話機。
【請求項１６】
内線にボタン電話機を接続する会議電話のための電話交換装置であって、少なくとも主催者の前記ボタン電話機が会議参加者全員対応のランプ付き参加者ボタンを具備し、
内線又は外線を介して接続される複数の電話機を電話会議のために接続する会議ブロックと、メモリ領域にあって、会議主催者内線番号及び参加者電話番号を予め登録する参加者リストと、メモリ領域にあって、前記内線及び外線それぞれに対応して接続相手情報を記録する接続状況管理テーブルと、メモリ領域にあって、前記会議ブロックごとに会議主催者内線とそれに接続されて会議電話に参加する内線及び外線とを記録する会議設定状況管理テーブルと、前記会議ブロックに接続された回線を前記ボタン電話機の参加者ボタンに対応させて記録する参加者ボタン管理テーブルと、主催者のボタン電話機から会議設定要求を受けた際に主催者のボタン電話機を前記会議ブロックに接続して当該ボタン電話機を会議設定状態の主催者電話機にする会議制御ユニットと、を有し、
前記会議制御ユニットが、内線の前記ボタン電話機から会議設定要求を受付けした際、及び内線又は外線から会議の主催者及び参加者のボタン電話機への着呼を受付けした際、その発信者番号が前記参加者リストに存在する場合、その要求受付け回線又は着呼受付け回線を前記会議ブロックに接続すると共に前記参加者ボタンのうちの空きボタンを指定して会議参加中のボタン電話機へ会議参加を示す点灯情報を送出する手段と、その接続状況を前記テーブルに記録する手段とを有することを特徴とする電話交換装置。
【請求項１７】
請求項１５に記載の電話交換装置において、前記会議設定要求を所定の可変機能設定ボタン情報又は所定の特番ダイヤルにより受付けする手段を有することを特徴とする電話交換装置。
【請求項１８】
請求項１５に記載の電話交換装置において、前記会議制御ユニットは、会議設定状態の前記ボタン電話機から会議設定要求を受付けした際には一時離脱要求として当該ボタン電話機の内線を前記会議ブロックの接続から外して会議参加中の全てのボタン電話機で対応の参加者ボタンを点滅させると共に発呼可能とする手段と、次いで会議設定要求を受付けした際には再参加要求として当該ボタン電話機の内線を前記会議ブロックに接続して会議設定状態にすると共に会議参加中の全てのボタン電話機で対応の参加者ボタンを点灯する手段とを有することを特徴とする電話交換装置。
【発明の詳細な説明】
【技術分野】
【０００１】
本発明は、ボタン電話機を用いて会議への参加及び離脱を簡単で容易にする一方、電話会議の設定及び解除を簡便化して会議運営を効率よく行うと共に、会議参加メンバーのメンバー情報の取得が容易な電話会議開催方法及び電話交換装置に関するものである。
【背景技術】
【０００２】
従来の電話会議開催方法及びそのための電話交換装置としては、例えば、特開平５−３１６２３６号公報の「会議通話の話者識別方式」に、説明されているものがある。
【０００３】
それを図１７及び図１８を併せ参照して説明する。すなわち、電子式自動構内交換機の中央制御装置１３０からの制御が可能な会議通話参加人数分のランプとこのランプに対応する会議ボタンＣＢ１〜ＣＢ５を有する多機能電話機２１０が多機能電話機１２１〜１２５として設けられる。会議通話を開始するには会議主催者が、多機能電話機１２１から発呼し、この多機能電話機１２１に設けてある会議ボタンＣＢ１を押すと、中央制御装置１３０は、会議通話の開始であることを識別し、その会議ボタンＣＢ１に多機能電話機１２１が対応付けられたことを識別し、会議トランク１５０を捕捉して会議参加者番号受信待ち状態になる。
【０００４】
次に、多機能電話機１２１の扱い者がこの多機能電話機１２１に設けてある会議通話用の会議ボタンＣＢ２を押し、続いて会議参加者である多機能電話機１２２の番号をダイヤルすると、中央制御装置１３０は多機能電話機１２２を呼び出す。多機能電話機１２２の扱い者が多機能電話機１２２で応答することにより、中央制御装置１３０は会議ボタンＣＢ２に多機能電話機１２２が対応付けられたことを識別し、多機能電話機１２１と多機能電話機１２２とを会議トランク１５０を経由して接続する。この動作により多機能電話機１２１と多機能電話機１２２との通話が可能となり、多機能電話機１２１の扱い者が会議の開催を口頭で通知する。
【０００５】
同様の操作により、会議ボタンＣＢ３，４，５の押下げに対しそれぞれ多機能電話機１２３，１２４，１２５の番号をダイヤルすることにより各多機能電話機の扱い者が呼び出され、その扱い者が応答する。それにより、最終的に中央制御装置１３０は会議ボタンＣＢ１に多機能電話機１２１が、会議ボタンＣＢ２に多機能電話機１２２が、会議ボタンＣＢ３に多機能電話機１２３が、会議ボタンＣＢ４に多機能電話機１２４が、会議ボタンＣＢ５に多機能電話機１２５がそれぞれ対応付けられたことを識別する。
【０００６】
会議が終了して多機能電話機１２１〜１２５が復旧した際に、中央制御装置１３０は、多機能電話機１２１〜１２５と会議トランク１５０との接続を解除すると共に、多機能電話機１２１〜１２５に設けられた会議ランプＣＢ１〜ＣＢ５を消灯して会議通話サービスを終了する。
【０００７】
本特許文献１では、各多機能電話機の扱い者名などの表示には、表示装置を別途に付加するが、通常の多機能電話機にはＬＣＤ（液晶ディスプレー）などによる表示器２１２が具備されているので、それに表示できる。
【０００８】
この多機能電話機を用いた電話会議開催方法及びその電話交換装置は、主催者が参加者を一人ずつダイヤル番号により呼出ししているが、少数の会議の場合には実用上十分であった。
【０００９】
しかし、多数での電話会議の場合、ランプ付きＣＢボタンの数が不足するのみならず、ダイヤルの手間と時間とがかかるので、会議設定に長時間を必要とし、参加者に会議開催開始まで無駄な待ち時間を余儀なくさせることは避けられない。
【００１０】
【特許文献１】特開平５−３１６２３６号公報（第０００７、０００９、００１０，００１２段落）
【発明の開示】
【発明が解決しようとする課題】
【００１１】
解決しようとする課題は、一方で主催者の会議設定に手間がかかるので簡単かつ容易にはできず、他方で参加者に開始までの待ち時間を余儀なくさせており、更には、効率よい会議ができない点である。特に、多数参加の会議に対してこの問題は大きい。
【課題を解決するための手段】
【００１２】
本発明は、会議開催の際、主催者の会議設定を簡単容易にしかつ参加者の待ち時間を最小とし、更に、会議を効率よく運用することを目的とする。
【００１３】
この目的のため、本発明では、電話会議のために内線又は外線を介して電話機を接続する会議ブロックと会議参加者の電話番号を登録する参加者リストとを電話交換装置に有しており、前記会議ブロックに接続されて電話会議に参加する内線接続される電話機のうち少なくとも主催者用電話機はボタン電話機であり、会議設定状態の際に同一会議への参加者それぞれに対応する参加者ボタンとなるランプ付き可変機能ラインボタンＦＫ−を前記ボタン電話機に具備している。
【００１４】
そして、その電話会議開催方法は、主催者が前記参加者リストに電話番号を予め登録し、主催者のボタン電話機から会議設定要求を受けた際に一つの前記会議ブロックを設定して主催者のボタン電話機回線を接続し会議設定状態にすると共に一つの参加者ボタンを点灯し、会議設定状態にあって主催者とは別のボタン電話機から会議設定要求を受けた際にはその電話番号が先に設定された前記会議ブロックの参加者リストに存在する場合、その回線を前記会議ブロックの空き回線に接続すると共に前記ボタン電話機で対応する参加者ボタンを点灯して会議参加させることを主要な特徴とする。
【００１５】
このような構成により、主催者は会議開催時刻前に所定の会議設定要求で会議設定状態を形成しておくことにより、参加予定者は会議開催時刻に所定の会議設定要求を発呼して会議に参加できる。これにより、主催者は前もって電話交換システムに参加者の電話番号を登録するのみでよく、会議設定が簡単容易であるのみならず、主催者が参加者を呼出しする際の話中又は席を外していて呼出しできないような待ち事態を回避できる。更に、参加者にあっても、電話番号のダイヤルを不要にできる。
【００１６】
また、会議設定状態にある主催者のボタン電話機回線に着呼した内線又は外線の発信者番号が前記参加者リストの電話番号に存在する場合、その回線を前記会議ブロックの空き回線に接続すると共に前記ボタン電話機で対応する参加者ボタンを点灯して会議参加させることができる。これにより、特別な会議設定要求手段を持たない内線の電話機又は外線からの着呼であっても会議の参加者リストに電話番号登録されていれば、会議に自動的に参加できる。
【００１７】
内線となる前記ボタン電話機が会議参加した際には、会議設定状態となり、前記ランプ付き可変機能ラインボタンＦＫ−を会議設定状態として参加者ボタンに設定すると共に全会議参加者それぞれに当該参加者ボタンの一つずつを対応させることができる。また、このボタン電話機が、画面表示器を備え、前記会議設定状態で、自己に対応する以外の前記参加者ボタンを押下げ操作した際には、予め記録されたその参加者ボタンに対応する参加者のメンバー情報を前記画面表示器に表示することができる。従って、会議参加者の把握が簡単かつ容易である。
【００１８】
上述の内線からの会議設定要求手段には、電話機からの特番ダイヤルによる発呼、並びにボタン電話機によるランプ付き可変機能ラインボタンＦＫ−及びランプ付き可変機能設定ボタンＦＫＡによる押下げが列挙される。すなわち、内線となる前記ボタン電話機で、前記会議設定要求する際には前記参加者ボタンとなるランプ付き可変機能ラインボタンＦＫ−の一つ、又はこれとは別の一つのランプ付き可変機能設定ボタンＦＫＡを会議設定ボタンとして用いることにより、主催者の場合には主催者ボタンとし、主催者以外の参加者である場合には会議参加ボタンとすることができる。
【００１９】
これにより、会議設定状態では、会議設定ボタンの押下げ操作を繰り返すことにより、当該ボタン電話機を電話会議から一時離脱させると共に全ての参加者のボタン電話機で対応する前記参加者ボタンを点滅させ、次の押下げ操作により当該ボタン電話機を電話会議に参加させると共に全ての参加者のボタン電話機でその対応する前記参加者ボタンを点灯させることができる。また、会議設定要求には特番ダイヤルを利用することもできる。これにより、特別な可変機能ボタンを持たない電話機からも会議設定要求を繰り返すことができる。ここで、主催者からの会議設定要求は会議開催時の設定要求であり会議設定状態を形成する。また、参加者からの会議設定要求は会議設定状態への参加要求である。
【００２０】
更に、内線となる前記ボタン電話機は、前記会議設定状態で着呼を受けた際には空きの前記参加者ボタンにランプ点滅による呼び出しを受け、一旦、所定の会議離脱処理を行ってその呼出しに応答し、その着呼を会議参加させる際には、ランプ点滅の前記参加者ボタンを押下げ操作してランプ点灯させ、会議に参加させることができる。これにより、参加者リストに含まれない電話機でも、会議に参加することができる。
【００２１】
本発明により具体化されるボタン電話機は、電話交換装置に内線として接続し他の電話機と会議通話できるボタン電話機であって、会議設定状態では同一会議への同時参加者それぞれに対応する参加者数の参加者ボタンとなってそれぞれの参加者ボタンの押下げ情報が前記電話交換装置に通知され、会議設定状態以外では電話機の別機能設定可能なランプ付き可変機能ラインボタンと、会議設定状態で前記参加者ボタンの操作を前記電話交換装置に通知する手段と、前記電話交換装置から受付けする情報に基づいて前記ランプの点灯及び情報の画面表示を制御する手段と、を備えることを特徴とする。
【００２２】
本発明により具体化される電話交換装置は、内線にボタン電話機を接続する会議電話のための電話交換装置であって、少なくとも主催者の前記ボタン電話機が会議参加者全員対応のランプ付き参加者ボタンを具備している。そして、内線又は外線を介して接続される複数の電話機を電話会議のために接続する会議ブロックと、メモリ領域にあって、会議主催者内線番号及び参加者電話番号を予め登録する参加者リストと、メモリ領域にあって、前記内線及び外線それぞれに対応して接続相手情報を記録する接続状況管理テーブルと、メモリ領域にあって、前記会議ブロックごとに会議主催者内線とそれに接続されて会議電話に参加する内線及び外線とを記録する会議設定状況管理テーブルと、前記会議ブロックに接続された回線を前記ボタン電話機の参加者ボタンに対応させて記録する参加者ボタン管理テーブルと、主催者のボタン電話機から会議設定要求を受けた際に主催者のボタン電話機を前記会議ブロックに接続して当該ボタン電話機を会議設定状態の主催者電話機にする会議制御ユニットと、を有する。
【００２３】
その会議制御ユニットは、内線の前記ボタン電話機から会議設定要求を受付けした際、及び、内線又は外線から会議の前記主催者及び参加者ボタン電話機への着呼を受付けした際、その発信者番号が前記参加者リストに存在する場合、その要求受付け回線又は着呼受付け回線を前記会議ブロックに接続すると共に前記参加者ボタンのうちの空きボタンを指定して会議参加中のボタン電話機へ会議参加を示す点灯情報を送出する手段と、その接続状況を前記テーブルに記録する手段とを有する。
【発明の効果】
【００２４】
本発明による電話交換装置は内線にボタン電話機を接続し、そのボタン電話機はランプ付き可変機能ラインボタンを具備し、会議設定状態にある場合にはそのランプ付き可変機能ラインボタンを同一会議への同時参加者それぞれに対応する参加者ボタンとしている。そして、その電話会議開催方法は、予め、主催者は会議参加者の電話番号を参加者リストに登録し、主催者のボタン電話機から会議設定要求して会議設定状態にした際、一つの参加者ボタンを主催者ボタンとして点灯し、会議設定状態で前記主催者のボタン電話機に着呼した内線又は外線の発信者番号が参加者リストにある場合、その着呼回線を会議参加させると共にボタン電話機の空きの参加者ボタンを点灯させている。
【００２５】
一方、参加者のボタン電話機による会議設定要求はそのまま参加者リストで発信者番号が照合されるので、相手先へのダイヤル操作を不要にしている。また、ボタン電話機以外の内線又は外線からの会議参加も、主催者への着呼で可能なので、主催者にダイヤル発呼を要求することがない。
【００２６】
そのため、主催者は会議開催時刻前に会議設定状態を形成しておくことができるので、参加予定者は会議開催時刻に主催者を呼び出して会議に参加できる。これにより、主催者は前もって電話交換システムに参加者リストを作成するが、単に会議設定要求するのみでよく、会議設定が簡単容易であるのみならず、主催者が参加者を呼出しした際の話中又は席を外していて呼出しできないような待ち事態を回避できる。更に、参加者全員のランプ付き参加者ボタンにより参加者動向の把握が容易であり、効率よい会議を運用することができる。
【発明を実施するための最良の形態】
【００２７】
本実施の態様は、会議開催の際、主催者の会議設定を簡単かつ容易にしかつ参加者の待ち時間を最小とし、更に会議を効率よく運用することを目的としている。これを達成するため、ＰＡＢＸで代表される電話交換装置は内線にボタン電話機を接続し、そのボタン電話機は複数のランプ付き可変機能ラインボタンを具備し、会議モードとなる会議設定状態の場合にはその可変機能ラインボタンを同一会議への参加者それぞれに対応する参加者ボタンとしている。
【００２８】
そして、その方法は、予め、主催者は会議参加者の電話番号を参加者リストに登録し、主催者のボタン電話機から会議設定要求して会議設定状態にした際、一つの参加者ボタンを主催者ボタンとして点灯している。更にその方法は、会議設定状態で前記主催者のボタン電話機に着呼した内線又は外線の発信者番号が参加者リストにある場合、その着呼回線を会議参加させると共にボタン電話機の空きの参加者ボタンを点灯させている。また、参加者のボタン電話機では、電話交換装置において、会議設定状態における会議設定要求が会議参加要求となり、その発信者番号が参加者リストで照合される。そのため、主催者への電話番号ダイヤルを不要にしている。
【００２９】
次に、実施例を挙げ、図面を参照して説明する。図面は紙面の関係で少なくとも本発明に係る部分を示すが、機能上必須であっても周知の構成要素の場合には記載されないものがある。また、機能ブロックは機能の分離併合による変更、手順はその動作順序における変更、それぞれの変更は、本発明の特徴を示す機能を損なわない限り自由であり、下記説明が本発明を限定するものではない。
【実施例１】
【００３０】
本発明による電話会議開催システムの実施態様について図１から図９Ａ，図９Ｂまでを併せ参照して説明する。
【００３１】
図１は、本発明による電話交換装置の実施の一形態をブロックで示す図である。
【００３２】
図示されるように、電話交換装置１は、内線としてボタン電話機２を収容し、外線としてネットワーク４を介して外線電話機３を接続している。電話交換装置１は、例えばＰＡＢＸであり、メモリ及びプロセッサを備えて、内線ＩＦ（インタフェース）１１、外線ＩＦ１２、電話制御ユニット１３、会議制御ユニット１４、メモリ１５、及び会議ブロック１６をその構成に含む。
【００３３】
本発明の特徴は、電話交換装置１が内線にボタン電話機２を収容し、ボタン電話機２が複数のランプ付き可変機能ラインボタンＦＫ−を有して電話会議に参加した会議状態の際にはそのランプ付き可変機能ラインボタンＦＫ−を参加者ボタンに切替え使用し、かつ、電話制御ユニット１３及び会議制御ユニット１４による会議開催における動作にある。動作についての詳細は後に別実施態様として説明する。以降の説明ではランプ付き参加者ボタンを参加ボタンＦＫと略称する。
【００３４】
内線ＩＦ１１は、電話交換装置１の内線としてボタン電話機２を収容し電話交換装置１との間のインタフェース機能を有する複数の内線ポートを含む。外線ＩＦ１２は外線を例えば公衆電話網により形成されるネットワーク４を介して外線電話機３に接続し電話交換装置１との間のインタフェース機能を有する複数の外線ポートを含む。電話制御ユニット１３はプログラム制御されるプロッセサにより内線ＩＦ１１又は外線ＩＦ１２での発呼又は着呼を検出して会議ブロック１６における電話回線の相互接続を完成させる。従って、会議ブロック１６への着呼は電話制御ユニット１３が制御するものとする。
【００３５】
会議制御ユニット１４は、プログラム制御されるプロッセサにより会議ブロック１６を用いて電話会議の開催を実行する。従って、会議ブロック１６に接続された回線に対する会議の参加及び離脱は会議制御ユニット１４により制御されるものとする。また、会議制御ユニット１４は会議ブロック１６に接続される内線のボタン電話機２に対するボタン操作状況の受付け及びランプ表示の制御を実行する。その実行の詳細はシーケンスチャートを用いて後に説明する。
【００３６】
メモリ１５には、参加者リスト１５−Ａ、回線接続管理テーブル１５−Ｂ、会議設定管理テーブル１５−Ｃ、及び参加者ボタン管理テーブル１５−Ｄが含まれる。これらテーブルは、それぞれの記憶領域を持ってもよいが、回線ごとの接続状態、接続情報などを記録する回線状態総合管理テーブルを別に形成し、必要の都度、その総合管理テーブルからプロセッサによりデータ抽出して必要なデータを作成する構成であってもよい。従って、本発明が本図面によるテーブルの構成に限定されるものではない。会議ブロック１６には例えばＣＢ（会議ブロック）１６−１、１６−２等が含まれ、各ＣＢは、電話会議の際に参加者の電話機を接続した電話回線を収容して、従来同様、例えば一つの送話を他の全員に受話させるような会議通話を実現する。ＣＢ１６−１，ＣＢ１６−２等のそれぞれは、以降の説明の便宜を図り、ＣＢ１，ＣＢ２等と略記する場合がある。
【００３７】
次に、図１に図２から図５までを併せ参照してメモリ１５に有する記憶領域について説明する。図２の参加者リスト１５−Ａは、その実施の一形態であり、ＣＢ１に、主催者として内線番号「２２０１」を、また、参加者として内線番号「２２０２」と外線の電話番号「０１２３４５６７８９」及び電話番号「０３４５６７８９０１」とを接続することを示している。また、ＣＢ２に、主催者として内線番号「２２０Ｎ」を、また、参加者として内線番号「２２０３」と外線の電話番号「０４５６７８９０１２」とを接続することを示している。これらの情報は周知の技術を用いて主催者が所定の手順により登録できる。従って、その入力は、このシステムに接続する通信端末であれば可能であり、ボタン電話機２の操作によるとは限らない。
【００３８】
この登録の際、必要に応じてボタン電話機２の画面表示器に表示できるように、その電話番号対応に、その持ち主姓名、所属などをメンバー情報として記録することができる。このメンバー情報は各ボタン電話機などの通信端末で固定の利用者を登録したアドレス帖から選択され周知の技術で転送できるので、その記録は容易である。
【００３９】
図３の回線接続管理テーブル１５−Ｂは、その実施の一形態であり、電話制御ユニット１３及び会議制御ユニット１４の制御を受け、電話交換装置１の内線ＩＦ１１及び外線ＩＦ１２の各ポート番号に対応してその接続の都度、その接続先回線のポート番号が記録される。図示される場合、内線４と外線（Ｍ−１）との接続が例示されている。例えば、ＣＢ１での電話会議の場合、主催者の内線１が最初に接続された内線２との接続であるが、参加者側の接続先は全て主催者の内線１として、記憶領域の節減と管理の容易さとを図ることができる。このテーブルは、例えば、保留、会議からの一時離脱などの場合、接続先が変更される。
【００４０】
図４の会議設定管理テーブル１５−Ｃは、その実施の一形態であり、会議制御ユニット１４の制御を受け、会議ブロックのＣＢ１、ＣＢ２ごとの接続先ポート番号を主催者と参加者とに区別して記録されており、会議者が一時離脱しても変更されず、再加入に用立てられる。回線接続管理テーブル１５−Ｂとの差は、本テーブルのデータが会議からの一時離脱では消去されないことである。
【００４１】
図５の参加者ボタン管理テーブル１５−Ｄは、その実施の一形態であり、会議制御ユニット１４の制御を受け、各内線ポート対応に電話会議中のボタン電話２に対応した上記参加者ボタンＦＫの回線割付けを記録する。例えば、内線１が主催者としてＣＢ１に接続されたときに参加者ボタンＦＫ１に割付けされる。その後、ＣＢ１に接続された内線２、外線１の順に参加者ボタンＦＫ２、ＦＫ３と割付けされる。従って、同一会議に参加する場合には各参加者ボタンの割付けは同一になる。このテーブルにより、各回線の会議への接続状態によりそれぞれの参加者ボタンＦＫの点灯、点滅、消灯が制御される。
【００４２】
次に、図６に図１から図５までを併せ参照して各ＣＢの回線接続について説明する。電話交換装置１では、内線及び外線の各回線からの着呼を会議ブロック１６に接続する場合には電話制御ユニット１３がＳＷ（スイッチ）１７を制御する。また、会議ブロック１６に接続された回線状態については会議制御ユニット１４が監視し制御する。従って、会議制御ユニット１４は、ＳＷ（スイッチ）１７の制御を必要とする場合、電話制御ユニット１３に通知して制御させるものとする。
【００４３】
まず、ＣＢ１６−１の場合、主催者の内線１が発呼して電話制御ユニット１３に会議設定要求するので、電話制御ユニット１３が参加者リスト１５−Ａを参照してＣＢ１６−１の空き回線を選択し内線１を主催者として接続する。会議制御ユニット１４はＣＢ１６−１から通知を受けて内線１のボタン電話機２と制御線を介して参加者ボタンのランプ点灯制御を行う。次いで、内線２からの発呼を受けた電話制御ユニット１３が、参加者リスト１５−Ａを参照して内線２を参加者とし、ＣＢ１６−１の空き回線を選択して接続する。会議制御ユニット１４はＣＢ１６−１から通知を受けて内線２のボタン電話機に対し内線１の電話機同様に制御線を介して参加者ボタンのランプ点灯制御を行う。以降の接続は上述したと同様手順となる。ＣＢ１６−２の場合も同様でありその説明は省略する。なお、更なる詳細は、後にシーケンスチャートを参照して説明する。
【００４４】
次に、図７から図９Ａ、図９Ｂまでを併せ参照し、本発明で用いるボタン電話機２０について説明する。図示されるボタン電話機２０は、送受話器２１、画面表示器２２、可変機能ラインボタン２３、可変機能設定ボタン２４、ダイヤルボタン２５、代替機能ボタン２６などを有する。送受話器２１は周知のものであり、画面表示器２２も例えばＬＣＤによる。
【００４５】
ランプ付きの可変機能ラインボタン２３は、例えば周知のワンタッチ呼出しに登録するボタンであり、所定の切替え手段により会議設定状態にある場合、会議参加者のランプ付き参加者ボタンに利用される。従って、可変機能ラインボタン２３はランプ付きであり、図７では、ボタンＦＫ１〜ＦＫ５が示されている。しかし、多数参加の会議に対応するためには、列を形成して例えば８個以上を備えることが望ましい。参加者ボタンＦＫ−のランプは、回線の割付け状態で点滅し、その押下げ応答による会議参加状態で点灯する。自己割当てされた参加者ボタン以外でのランプの点滅、点灯の際には、対応する回線の発信者番号と共にメンバー情報がその対応するボタンの押下げで電話交換装置１から送られ画面表示器２に表示されるものとする。
【００４６】
可変機能設定ボタン２４も可変機能ボタンであり、周知の回線保留、保留応答などに利用でき、ボタンＦＫＡ〜ＦＫＤが図示されている。後述するように、ボタンＦＫＡを例えば会議設定用に利用することができるが、これらのボタンの数及びそれらに割付ける機能はこの図面で示されるものに限定されない。ダイヤルボタン２５は、ダイヤル発信に使用する以外、特番組合せで、例えば会議設定することもできる。代替機能ボタン２６は、例えば、周知のオンフック／オフフック用、再ダイヤル用など、ワンタッチ操作への代替え手段に利用される。
【００４７】
図８はボタン電話機２０の構成を機能ブロックで示したものであり、図７の構成要素に加え、回線ＩＦ部２７、電話回路部２８、会議モード設定変換部２９、参加者ボタン管理部３０、及び表示画面編集部３１を有する。回線ＩＦ部２７は、図１における内線ＩＦ１１の内線ポートと回線接続され、そのインタフェース機能を有する。電話回路部２８は、送受話器２１を回線ＩＦ部２７に接続してユーザに通話させる周知の電話用回路およびプロセッサである。
【００４８】
会議モード設定変換部２９は、ボタン電話機利用者の操作から所定の電話会議設定要求を受付けすることによりその電話機を会議に参加させ、ランプ付き可変機能ラインボタン２３の機能を参加者ボタンに切替えて、ボタン電話機２０を会議モードすなわち会議設定状態するものとする。すなわち、電話会議状態は所定ランプの点灯又は画面表示により認知させる。また、所定の電話会議離脱の受付けは、ランプの点滅又は画面表示により認知させ、その電話機の会議設定状態が解除される。会議からの完全離脱は、オンフック操作によることとし、この結果、通話回線は切断され、対応するＦＫランプは消灯される。
【００４９】
参加者ボタン管理部３０は、会議モード設定変換部２９で会議設定状態にある場合、回線ＩＦ部２７が図６に示されるようＣＢ１６−１を介して会議制御ユニット１４から受けるランプ点灯指示を管理する。例えば、図９Ａ及び図９Ｂに示される参加者ボタン管理テーブル３０−Ａ及び参加者ボタン管理テーブル３０−Ｂにより管理できる。図９Ａ及び図９Ｂは図６に示されるように接続されている場合の内線１及び内線２それぞれをポート対応に管理するテーブルである。上述したように、同一会議ブロックＣＢ１に接続されるボタン電話機２０では、テーブルのＦＫ１領域〜ＦＫ５領域それぞれが同一に管理される。
【００５０】
また、例えば内線２が会議から一時離脱の際にはＦＫ２領域に点滅がマークされ、外線１が完全離脱場合にはＦＫ３領域に消灯がマークされる。表示画面編集部３１は、ボタン電話機２０の状況に応じ、画面表示器２２に表示するパターンを予め記憶しており、その状況を文字表示する。例えば、会議モード中の会議設定マーク、参加者リストから得たメンバー情報などの表示がある。
【００５１】
図９Ａ及び図９Ｂは、上記図６の接続状態における内線１及び内線２それぞれの参加者ボタン管理テーブルを参加者ボタン対応のポート番号で示している。そのポート番号で示される領域には、ランプの点灯、点滅、消灯がマークされ、図１の会議制御ユニット１４により会議設定状態の各ボタン電話機２へ通知されている。
【００５２】
上述のような構成を採用したので、主催者をはじめ、会議の各参加者が会議開催時刻を目指して所定の会議設定要求操作により発呼するが、主催者以外は主催者内線へ発呼することになる。従って、会議参加への発呼は各参加者により実行されるので、主催者は会議設定のために参加者リストの作成と一回の発呼処理で済む。また、電話交換装置では、電話制御ユニットが会議参加者と認識の回線を内線１の回線ではなくこの会議ブロックの空き回線に接続して直ちに応答を得ることができる。従って、参加者の会議参加のための接続時間の短縮が可能である。更に、ボタン電話機利用者の操作から所定の電話会議要求を受付けすることによりランプ付き可変機能ラインボタンの機能を参加者ボタンに切替えることにより、ボタン電話機を会議モードすなわち会議設定状態にできる。
【００５３】
ボタン電話機が有する多数のランプ付き可変機能ラインボタンを会議参加者全員に対応させることにより、ワンタッチで会議参加者の情報を得ることができるので、会議参加者の状況把握が簡単かつ容易である。一方、ボタン電話機でランプ付き可変機能ラインボタンの数が限定される場合、少なくとも主催者はコンソールを使用することもできる。ボタン数が限定される場合の参加者ボタンは、例えば表示器との組合せで一つのボタンを複数の参加者に割付けしてもよい。
【実施例２】
【００５４】
本発明の実施例２として、上記可変機能設定ボタン２４にあるボタンＦＫＡを会議設定用に利用する実施形態について説明する。すなわち、ボタンＦＫＡの押下げが会議設定要求としてボタン電話機２を会議設定状態に形成し、次の押下げが会議一時離脱としてボタン電話機２を会議設定状態から離脱させている。
【００５５】
図１０から図１４までのシーケンスチャートに図１から図９までを併せ参照して、図１における本発明の主要動作の一手順について説明する。
【００５６】
まず、図１０を参照して主催者による会議設定について説明する。
【００５７】
内線１のボタン電話機２では、会議設定用のボタンＦＫＡの押下げを検出することによりランプ付き可変機能ラインボタン２３の機能を参加者ボタンに切替えすると共にＦＫＡランプが点灯し電話交換装置１に会議設定要求（手順Ｓ１）の信号を送出する。電話交換装置１では、会議制御ユニット１４が参加者リスト１５−Ａを参照して会議ブロック１６でＣＢ１の主催者用の第１回線を内線１に割付し会議設定を完了（手順Ｓ２）する一方、内線１に第１回線対応の参加者ボタンＦＫ１のランプ点滅を指示（手順Ｓ３）して、メモリ１５の各管理テーブル１５−Ｂ、１５−Ｃ、１５−Ｄに記録する。
【００５８】
内線１のボタン電話機２は、ランプ点滅指示を受けてＦＫ１ランプを点滅（手順Ｓ４）させるが、この表示に主催者が参加者ボタンＦＫ１の押下げで応答（手順Ｓ５）する。この応答を電話交換装置１の会議制御ユニット１４が受けてＦＫ１ランプの点灯を指示（手順Ｓ６）すると共に、参加者ボタン管理テーブル１５−Ｄの表示記録を変更する。内線１のボタン電話機２では、ＦＫ１ランプが点灯（手順Ｓ７）して主催者による会議開催開始動作が完了する。これまでの手順は会議開催時刻の例えば５分前までに終了する。
【００５９】
次に、図１１を参照して内線２がボタン電話機２により主催者の次に会議参加する場合について説明する。
【００６０】
会議開催時刻に、内線２における会議参加者から会議設定ボタンＦＫＡの押下げを受けた場合、ボタン電話機２ではランプ付き可変機能ラインボタン２３の機能を参加者ボタンに切替えすると共にＦＫＡランプが点灯し電話交換装置１に会議参加要求（手順Ｓ１１）の信号を送出する。電話交換装置１では、電話制御ユニット１３が、参加者リスト１５−Ａを参照して会議ブロック１６でＣＢ１の次の順序の空き回線を内線２に割付け（手順Ｓ１２）する一方、会議制御ユニット１４は、内線２及びそれまでの参加者にその回線対応の参加者ボタンＦＫ２のランプ点滅を指示すると共に内線２からの着信を通知するメンバー情報を参加者リスト１５−Ａから読出しして送出（手順Ｓ１３）し、その状態をメモリ１５の各管理テーブル１５−Ｂ、１５−Ｃ、１５−Ｄに記録する。従って、内線１，２共にＦＫ２ランプが点滅し、かつ内線２からの着呼が画面表示器２２に表示（手順Ｓ１４）される。
【００６１】
内線２においては、参加者によりその点滅に応答する参加者ボタンＦＫ２の押下げ（手順Ｓ１５）がある。それにより、電話交換装置１では、会議制御ユニット１４がＣＢ１により他の参加者との通話路を設定（手順Ｓ１６）する。一方、会議制御ユニット１４は、ＦＫ２ランプの点灯を指示（手順Ｓ１７）して、参加者ボタン管理テーブル１５−Ｄの表示記録を変更する。内線１，２両方のボタン電話機２では、ＦＫ２ランプが点灯（手順Ｓ１８）する。それにより、内線１と内線２とはＣＢ１を介して会議通話が可能である。
【００６２】
このように、内線に収容されるボタン電話機により、接続先ダイヤルの発信なしで電話会議に参加できるので、会議への設定又は参加が簡単かつ容易である。
【００６３】
次に、図１２を参照して外線１からＣＢ１への参加があった場合について説明する。
【００６４】
上記手順が終了した後、電話交換装置１が外線１から内線１への着呼による呼出し（手順Ｓ２１）を受付けした場合、電話制御ユニット１３は、回線接続管理テーブル１５−Ｂで着呼先内線１が会議中であることを知るので、参加者リスト１５−Ａの発信者番号から会議参加者からの着呼を知る。従って、電話制御ユニット１３は、会議ブロック１６でＣＢ１の次の順序の空き回線を外線１に割付け（手順Ｓ２２）する。一方、会議制御ユニット１４は、それまでの内線参加者にその外線対応の参加者ボタンＦＫ３のランプ点滅を指示すると共に外線１からの着信を通知するメンバー情報を参加者リスト１５−Ａから読出しして送出（手順Ｓ２３）し、メモリ１５の各管理テーブル１５−Ｂ、１５−Ｃ、１５−Ｄにその状態を記録する。従って、内線１，２共にＦＫ３ランプが点滅すると共に外線１からの着呼が文字表示機２２に表示（手順Ｓ２４）される。
【００６５】
主催者の内線１では、外線１の着呼表示から点滅するＦＫ３ランプに応答するので、ボタン電話機２ではその応答を参加者ボタンＦＫ３の押下げ（手順Ｓ２５）により電話交換装置１に通知する。これにより、電話交換装置１では、会議制御ユニット１４が外線１からの応答を確認して、外線１と他の参加者との通話路をＣＢ１により設定（手順Ｓ２６）する。一方、会議制御ユニット１４は、ＦＫ３ランプの点灯を指示（手順Ｓ２７）すると共に、参加者ボタン管理テーブル１５−Ｄの表示記録を変更する。内線１，２両方のボタン電話機２ではＦＫ３ランプが点灯（手順Ｓ２８）する。それにより、外線１は、内線１及び内線２とＣＢ１を介して三者による会議通話が可能である。
【００６６】
このような構成のため、ボタン電話機以外の内線電話機であっても外線からの会議参加は上記手順と同様に可能であり、その説明は省略する。
【００６７】
次に、図１３を参照して内線の会議一時離脱と再参入とについて内線２を例示して説明する。内線２は会議参加中であり、会議参加ボタンＦＫＡはランプ点灯中の状態である。
【００６８】
内線２のボタン電話機２は、ボタンＦＫＡの押下げを受け、ＦＫＡランプを点滅させると共に会議設定要求により会議一時離脱を電話交換装置１へ要求（手順Ｓ３１）する。電話交換装置１では会議制御ユニット１４がそれを受けて内線２を会議離脱させて発呼状態にすると共に参加者のボタン電話機２へＦＫ２ランプの点滅を指示（手順Ｓ３２）して参加者ボタン管理テーブル１５−Ｄでそのランプ表示マークを変更する。従って、会議に参加中のボタン電話機２のＦＫ２ランプが点滅すると共に内線２の離脱が文字表示機２２に表示（手順Ｓ３３）される。一方、内線２のボタン電話機２の参加者ボタンＦＫ−は会議設定状態を解除（手順Ｓ３４）され可変機能ラインボタン２３の機能に戻るものとする。この状態で、内線２は別の相手先との発呼又は着呼応答が可能であり通話して保留も可能である。
【００６９】
会議再参入の際には、内線２のボタン電話機２でボタンＦＫＡの押下げを受けるので、ボタン電話機２では可変機能ラインボタン２３の機能をランプ付き参加者ボタンに切替えすると共にＦＫＡランプが点灯し電話交換装置１に会議設定要求による会議参加要求（手順Ｓ３５）の信号を送出する。電話交換装置１では、会議制御ユニット１４が、ＣＢ１で先に内線２に割付けした第２回線の通話路を接続し、参加中のボタン電話機２に回線対応の参加者ボタンＦＫ２のランプ点灯を指示（手順Ｓ３６）して参加者ボタン管理テーブル１５−Ｄでそのランプ表示マークを変更する。従って、内線１と共に参加中のボタン電話機２のＦＫ２ランプが点灯し、かつ内線２の参加が文字表示機２２に表示（手順Ｓ３７）される。一方、内線２の可変機能ラインボタン２３は、会議設定状態（手順Ｓ３８）とされるので、参加者ボタンＦＫ−の機能に切り替えられる。
【００７０】
上述したように、会議設定状態の移行にランプ付き可変機能設定ボタンＦＫＡを使用するので、ワンタッチによる会議参加及び一時離脱が可能なため操作が簡便化し、またその状態がＦＫＡランプの点灯状態で認知可能なので、状態の文字表示を不要にするという利点がある。
【００７１】
また、このような手順を可能とするので、上記実施例１で記載の、参加者の会議参加のための接続時間の短縮が可能であること、更に、会議参加者の状況把握が簡単かつ容易であることを確認することができる。
【００７２】
次に、図１４を参照して内線２の例による会議からの完全離脱動作と会議終了の際の動作とについて説明する。
【００７３】
内線２の参加者がオンフックした際に、そのボタン電話機２では通話路が切断（手順Ｓ４１）される。一方、内線２の通話路切断で、電話交換装置１では、電話制御ユニット１３が内線２をＳＷ１７でＣＢ１から切離して会議からの離脱を処理すると共に、会議制御ユニット１４は、それを受けて内線２を会議離脱させると共に参加者のボタン電話機２へＦＫ２ランプの消灯を指示（手順Ｓ４２）して参加者ボタン管理テーブル１５−Ｄでそのランプ表示マークを変更し、その状態をメモリ１５の各管理テーブル１５−Ｂ、１５−Ｃに記録する。その電話交換装置１からの指示により、内線１と共に参加中のボタン電話機２ではＦＫ２ランプが消灯（手順Ｓ４３）し、内線２では会議参加ボタンＦＫＡが消灯し、全ＦＫランプも消灯（手順Ｓ４４）して完全復旧する。
【００７４】
外線又は単機能電話機による内線による会議離脱手順は、内線又は外線を問わず同様であり、オンフックにより通話回線を切断してその電話機は復旧する。
【００７５】
内線１の主催者からのオンフックによる切断は、会議の終了を意味してその会議設定を解除する。すなわち、主催者のボタン電話機２におけるオンフックにより内線１の通話路は切断（手順Ｓ４５）される。内線１からオンフック情報を受けた電話交換装置１では、電話制御ユニット１３がＣＢ１に接続される全回線を切断処理する。その一方、会議制御ユニット１４は、会議終了を受付けすることになるので、会議中のボタン電話機には会議終了を通知し、参加者リスト１５−Ａ、会議設定管理テーブル１５−Ｃ及び参加者ボタン管理テーブル１５−Ｄの関連部分の記録を消去（手順Ｓ４６）すると共に、回線接続管理テーブル１５−Ｂの記録を変更する。
【００７６】
従って、内線１では、ＦＫＡランプは消灯し、全ＦＫ−ランプも消灯（手順Ｓ４７）する。例えば、内線２で離脱が未完了であれば、そのボタン電話機２では、全ＦＫランプが消灯し会議設定が解除されると共に電話交換装置１から話中音が受信（手順Ｓ４８）される。また、外線の場合、会議回線から解放されるので外線に接続中の接続先電話機にも話中音が受信（手順Ｓ４９）される。
【００７７】
このように、一旦、電話会議に参加した回線は、電話機によるオンフックで切断状態にすることにより容易に完全離脱可能である。
【実施例３】
【００７８】
本発明の実施例３について図１５及び図１６に図１から図９Ａ、図９Ｂまでを参照して説明する。
【００７９】
上記実施例２の説明では、参加者リスト１５−Ａに登録された発信者番号の電話機のみ電話会議に参加できた。本実施態様では、電話会議に参加中のボタン電話機に着呼した電話機を、それに応答して会議参加させる手順の一形態について説明する。ここでは外線３から主催者の内線１への着呼で説明するが、内線からの着呼でも、また着呼先が主催者以外の会議参加者の内線ボタン電話機でも同様の手順で参加させることができる。
【００８０】
電話交換装置1が外線３から内線１への着呼を受付け（手順Ｓ５１）した際には、電話制御ユニット１３が着呼先内線１の電話会議中を検出して、会議制御ユニット１４に通知する。会議制御ユニット１４は内線１のボタン電話機２を呼出し、外線３からの着呼を通知すると共に、ＣＢ１の空き参加ボタンＦＫ４のランプ点滅を指示（手順Ｓ５２）する。内線１のボタン電話機２では、例えば、受けた発信者のメンバー情報を着呼情報として電話交換装置1から受付けし、画面表示器２２に表示すると共にＦＫ４ランプを点滅（手順Ｓ５３）させる。
【００８１】
内線１は会議参加中であり、会議参加ボタンＦＫＡはランプ点灯中の状態である。
【００８２】
内線１のボタン電話機２は、ボタンＦＫＡの押下げを受け、ＦＫＡランプを点滅させると共に会議一時離脱を電話交換装置１へ要求（手順Ｓ５４）する。電話交換装置１では会議制御ユニット１４がそれを受けて内線１を会議離脱させて発呼状態にすると共に参加者のボタン電話機２へＦＫ１ランプの点滅を指示（手順Ｓ５５）して参加者ボタン管理テーブル１５−Ｄでそのランプ表示マークを変更する。従って、内線１と共に参加中のボタン電話機２のＦＫ１ランプが点滅すると共に内線１が離脱したことが文字表示機２２に表示（手順Ｓ５６）される。一方、内線１のボタン電話機２の参加者ボタンＦＫ−は会議設定を解除され可変機能ラインボタン２３の機能に戻るので、内線１は呼出しを受ける状態となって外線３に応答（手順Ｓ５７）する。
【００８３】
通話の後には、外線３が会議に参加するか否かを問わず、内線１は会議再参入することになる。その際には、内線１のボタン電話機２でボタンＦＫＡの押下げを受けるので、ボタン電話機２では可変機能ラインボタン２３の機能を参加者ボタンに切替えし、かつＦＫＡランプが点灯して電話交換装置１に会議参加要求（手順Ｓ６１）の信号を送出する。電話交換装置１では、会議制御ユニット１４が、ＣＢ１で先に内線１に割付けした通話路を接続し、会議参加中のボタン電話機２に回線対応の参加者ボタンＦＫ１のランプ点灯を指示（手順Ｓ６２）して参加者ボタン管理テーブル１５−Ｄでそのランプ表示マークを変更する。従って、内線１と共に会議参加中のボタン電話機２のＦＫ１ランプが点灯すると共に内線１が参加したことが文字表示機２２に表示（手順Ｓ６３）される。一方、内線１の可変機能ラインボタン２３は会議設定され、参加者ボタンＦＫ−の機能に切替えられ、会議参加中の参加者ボタンＦＫ−のランプが点灯（手順Ｓ６４）する。この結果、先の三者通話に戻る。
【００８４】
通話の結果、外線３を会議に参加させる場合、内線１のボタン電話機２では、上記手順Ｓ５３によりＦＫ４ランプが点滅しているので、これに応答して参加者ボタンＦＫ４を押下げ（手順Ｓ６５）する。電話交換装置１では、会議制御ユニット１４がこの情報を受けたことにより内線１の応答を確認し、電話制御ユニット１３がこの通知を受ける。これにより、電話制御ユニット１３は、外線３をＣＢ１のボタンＦＫ４対応の回線に接続して会議通話路を設定（手順Ｓ６６）する。一方、会議制御ユニット１４は、ＦＫ４ランプの点灯を指示（手順Ｓ６７）すると共に、参加者ボタン管理テーブル１５−Ｄの表示記録を変更する。電話会議参加中のボタン電話機２ではＦＫ４ランプが点灯（手順Ｓ６８）する。それにより、外線３は、内線１、内線２及び外線１とＣＢ１を介して四者による会議通話が可能である。
【００８５】
上記手順Ｓ５３で画面表示されたメンバー情報で判断し、直ちに会議参加させる場合には手順Ｓ５３からＳ５７、及び手順Ｓ６１からＳ６４までを省略し、手順Ｓ６５に直接進むことができる。
【００８６】
上述したように、一旦、電話会議に参加した回線は、電話機によるオンフックで切断状態にすることにより容易に完全離脱可能である。
【実施例４】
【００８７】
本発明の実施例４について図１０から図１６までに図１から図９Ａ、図９Ｂまでを参照して説明する。
【００８８】
上記実施例２の説明では、会議状態の設定にランプ付きの可変機能設定ボタンＦＫＡを使用したが、会議状態を文字表示するＬＣＤ又は別にランプ表示するＬＥＤを設けて、特番ダイヤル、例えばダイヤル「＃１３」を用いてダイヤル制御するものである。本実施の態様では、ＬＣＤを画面表示器２２とし、上記手順Ｓ１、手順Ｓ１１、手順Ｓ３１、手順Ｓ３５、手順Ｓ５４、及び手順Ｓ６１が次のように変更され、それ以外では、ＦＫＡランプに関連の記載が削除される。
【００８９】
手順Ｓ１では、内線１で主催者から特番「＃１３」により発呼を受けた際、可変機能ラインボタン２３の機能をランプ付き参加者ボタンに切替えすると共に画面表示器２２の所定位置、例えば左上部に「会議設定中」を表示、又は特定のＬＥＤを点滅させて、電話交換装置１に会議設定要求の信号を送出する。
【００９０】
手順Ｓ１１では、内線２で会議参加者から特番「＃１３」により発呼を受けた場合、ボタン電話機２では可変機能ラインボタン２３の機能をランプ付き参加者ボタンに切替えすると共に画面表示器２２の所定位置に「会議参加中」を表示、又は特定のＬＥＤを点灯させて、電話交換装置１に会議参加要求の信号を送出する。
【００９１】
手順Ｓ３１では、内線２は会議参加中であり、画面表示器２２に「会議参加中」を表示しているか、又は特定のＬＥＤを点灯させた状態である。この状態で、内線２のボタン電話機２は、例えばフッキングの後、特番「＃１４」のダイヤル操作を受けた際に、画面表示器２２の所定位置に「会議参加一時離脱」を表示、又は特定のＬＥＤを点滅させて会議一時離脱を電話交換装置１へ要求する。
【００９２】
手順Ｓ３５では、内線２は別の相手先との発呼又は着呼応答が可能であり、また通話して保留も可能な状態である。会議再参入の際には、内線２のボタン電話機２で利用者から特番「＃１３」のダイヤルを受けるので、ボタン電話機２ではランプ付き可変機能ラインボタン２３の機能を参加者ボタンに切替えすると共に画面表示器２２の所定位置に「会議参加中」を表示、又は特定のＬＥＤを点灯させて電話交換装置１に会議参加要求信号を送出する。
【００９３】
手順Ｓ５４では、内線１は、会議参加中であるので、画面表示器２２に「会議参加中」を表示、又は特定のＬＥＤを点灯させた状態である。この状態で、内線１のボタン電話機２は、例えばフッキングの後、特番「＃１４」のダイヤル操作を受けた際に、画面表示器２２の所定位置に「会議参加一時離脱」を表示、又は特定のＬＥＤを点滅させて会議一時離脱を電話交換装置１へ要求する。
【００９４】
手順Ｓ６１では、内線１は別の相手先と通話の状態である。会議再参入の際には、内線１のボタン電話機２で利用者から特番「＃１３」のダイヤルを受けるので、ボタン電話機２ではランプ付き可変機能ラインボタン２３の機能を参加者ボタンに切替えすると共に画面表示器２２の所定位置に「会議参加中」を表示、又は特定のＬＥＤを点灯させて電話交換装置１に会議参加要求信号を送出する。
【００９５】
このような構成により、ランプ付き可変機能ラインボタンＦＫの数が限定されている場合でも、可変機能設定ボタンＦＫＡ〜ＦＫＤもランプ付き参加者ボタンに利用できる。
【実施例５】
【００９６】
本発明の実施例５について図１０から図１６までに図１から図９Ａ、図９Ｂまでを参照して説明する。
【００９７】
上記実施例２の説明では、会議状態の設定にランプ付きの可変機能設定ボタンＦＫＡを使用したが、会議参加の際には可変機能ラインボタンＦＫ１を利用し、会議設定状態の際には自己のボタン電話機に割付けられた参加者ボタンＦＫ−を利用するものである。すなわち、上記手順Ｓ１及び手順Ｓ１１ではボタンＦＫＡ及びそのランプがボタンＦＫ１及びそのランプと読み替えられる。また、上記手順Ｓ３１、手順Ｓ３５、手順Ｓ５４、及び手順Ｓ６１ではボタンＦＫＡ及びそのランプが自己に割付けられた参加者ボタンＦＫ―及びそのランプと読み替えられる。自己に割付けられた参加ボタンＦＫ―は、上記手順Ｓ１４の点滅ランプ、又は参加者ボタンＦＫ−の押下げで画面表示器２２に表示される例えばメンバー情報で認知できる。
【００９８】
この構成も、上記実施例４と同様な効果が得られる。
【産業上の利用可能性】
【００９９】
内線にボタン電話機を接続する電話交換装置を用い、そのボタン電話機が会議設定状態にある場合にはそのランプ付き可変機能ラインボタンを同一会議参加者それぞれに対応する参加者ボタンとすることが容易にできる。これにより、主催者は会議参加者の電話番号を参加者リストに予め登録し、主催者のボタン電話機から会議設定要求して会議設定状態にし、前記主催者のボタン電話機に着呼した内線又は外線の発信者番号が参加者リストに存在する場合、その着呼回線を会議参加させている。
【０１００】
このような構成により、相手先番号入力なしによる会議参加を必要かつ不可欠とする用途に適用できる。例えば、電話端末として表示器付き機能ボタンをキーボード又は画像表示画面に備えるインターネットプロトコルによる通信端末を用いるような会議開催が対象にできる。
【図面の簡単な説明】
【０１０１】
【図１】本発明による、内線にボタン電話機を用いた電話交換装置の電話会議開催における実施の一形態をブロックで示した説明図である。（実施例１）
【図２】図１での参加者リストの実施の一形態をテーブルで示した図である。（実施例１）
【図３】図１での回線接続管理テーブルの実施の一形態を示した図である。（実施例１）
【図４】図１での会議設定管理テーブルの実施の一形態を示した図である。（実施例１）
【図５】図１での参加者ボタン管理テーブルの実施の一形態を示した図である。（実施例１）
【図６】図１での各会議ブロックにおける回線接続状況の実施の一形態を示した図である。（実施例１）
【図７】本発明におけるボタン電話機の実施の一形態を表面の外観で示した説明図である。（実施例１）
【図８】本発明におけるボタン電話機の実施の一形態を機能ブロックで示した図である。（実施例１）
【図９Ａ】図８における参加者ボタン管理テーブルの実施の一形態を、図５の内線１の場合で示した図である。（実施例１）
【図９Ｂ】図８における参加者ボタン管理テーブルの実施の一形態を、図５の内線２の場合で示した図である。（実施例１）
【図１０】本発明による電話会議開催にあたり、主催者により会議設定する手順の実施の一形態をシーケンスチャートで示した説明図である。（実施例２）
【図１１】本発明による電話会議状態で、内線のボタン電話機により主催者の次に会議参加する場合における会議設定手順の実施の一形態をシーケンスチャートで示した説明図である。（実施例２）
【図１２】本発明による電話会議状態で、外線から会議参加する場合における会議設定手順の実施の一形態をシーケンスチャートで示した説明図である。（実施例２）
【図１３】本発明による電話会議状態で、会議から一時離脱し、その後、会議へ再参加する場合における会議設定手順の実施の一形態をシーケンスチャートで示した説明図である。（実施例２）
【図１４】本発明による電話会議状態で、内線のボタン電話機により会議から完全離脱する場合、及び会議終了する場合における会議設定手順の実施の一形態をシーケンスチャートで示した説明図である。（実施例２）
【図１５】本発明による電話会議状態で、外線から会議参加中の内線に着呼した場合における会議設定手順の実施の一形態をシーケンスチャートで示した説明図である。（実施例３）
【図１６】図１５に続き、その外線を会議参加させる場合における会議設定手順の実施の一形態をシーケンスチャートで示した説明図である。（実施例３）
【図１７】従来の、内線に多機能電話機を用いた電話交換装置の電話会議開催における一例をブロックで示した説明図である。
【図１８】従来のボタン電話機の一例を表面の外観で示した説明図である。
【符号の説明】
【０１０２】
１    電話交換装置
２    ボタン電話機
３    外線電話機
４    ネットワーク
１１    内線ＩＦ
１２    外線ＩＦ
１３    電話制御ユニット
１４    会議制御ユニット
１５    メモリ
１５−Ａ    参加者リスト
１５−Ｂ    回線接続管理テーブル
１５−Ｃ    会議設定管理テーブル
１５−Ｄ    参加者ボタン管理テーブル
１６    会議ブロック
１６−１、１６−２    ＣＢ（会議ブロック）
２０    ボタン電話機
２１    送受話器
２２    画面表示器
２３    可変機能ラインボタン
２４    可変機能設定ボタン
２５    ダイヤルボタン
２６    代替機能ボタン
【図１】
2008005188.tif 000003
【図２】
2008005188.tif 000004
【図３】
2008005188.tif 000005
【図４】
2008005188.tif 000006
【図５】
2008005188.tif 000007
【図６】
2008005188.tif 000008
【図７】
2008005188.tif 000009
【図８】
2008005188.tif 000010
【図９Ａ】
2008005188.tif 000011
【図９Ｂ】
2008005188.tif 000012
【図１０】
2008005188.tif 000013
【図１１】
2008005188.tif 000014
【図１２】
2008005188.tif 000015
【図１３】
2008005188.tif 000016
【図１４】
2008005188.tif 000017
【図１５】
2008005188.tif 000018
【図１６】
2008005188.tif 000019
【図１７】
2008005188.tif 000020
【図１８】
2008005188.tif 000021